(57)【要約】【課題】本発明は、側板を平に展開すると収容したケーキを分割（小分け）するのに便利な目印が顕れるようにしたケーキ用容器を提供する。【解決手段】本願ケーキ用容器は、方形の底板とその各辺に連接した４側板とからなる容器主体と、該容器主体の４側板を立てた状態に保持できる箱形の蓋体とを備え、前記容器主体の４側板のうち少なくとも１対の対向する側板にケーキカットのための目印を設けたことを特徴とし、組み立てた容器主体はケーキ成形時に金型内に装填することにより成形型枠として使用でき、また、ケーキ成形後は容器主体に箱形の蓋体を被冠することによりそのまま流通箱として使用でき、さらに、消費者がケーキを食するときに容器主体の４側板を展開するだけで等分に分割するための目印を有するまな板として使用できるように構成した。【選択図】図１
2005350133.tif 000002
【特許請求の範囲】
【請求項１】
方形の底板とその各辺に連接した４側板とからなる容器主体と、該容器主体の４側板を立てた状態に保持できる箱形の蓋体とを備え、前記容器主体の４側板のうち少なくとも１対の対向する側板にケーキカットのための目印を設けたことを特徴とするケーキ用容器。
【請求項２】
前記ケーキカットのための目印が、前記側板の内面に底板の各辺に直交する平行線または前記側板の外縁に設けた凹溝であることを特徴とする請求項１に記載のケーキ用容器。
【発明の詳細な説明】
【技術分野】
【０００１】
本発明は、側板を平に展開すると収容したケーキを分割（小分け）するのに便利な目印が顕れるようにしたケーキ用容器に関するものである。
【背景技術】
【０００２】
従来のケーキ用容器は、小売店からケーキを持ち帰えり易くするために収容するものであった。このケーキ用容器は、普段は扁平状に折り畳まれ、ケーキを収容するときは簡単に組み立てて立体化でき、ケーキの収容後、蓋部が把手となるようにした構造のものが一般的であった。
【発明の開示】
【発明が解決しようとする課題】
【０００３】
しかしながら、ケーキは容器に詰め替えるとき、あるいは詰め替えたケーキを容器とともに持ち帰るときに容器内でケーキが移動したり内壁に触れて型崩れが生じた。また、買ってきたケーキを小分けして食するときに容器から型崩れを起こさせないようにまな板上に移し替えることは至極困難であったりし、まな板上でケーキを等分に分割することも大変に難しいものであった。
【０００４】
本発明は上記の点に鑑み創出したもので、その目的とするところは、ケーキの成形から消費者の手に渡って食されるまで一貫して利用でき、ケーキをまな板に移し替えることなく、等分に分割することが容易なケーキ用容器を提供する点にある。
【課題を解決するための手段】
【０００５】
上記目的を達成するため、本発明は、方形の底板とその各辺に連接した４側板とからなる容器主体と、該容器主体の４側板を立てた状態に保持できる箱形の蓋体とを備え、前記容器主体の４側板のうち少なくとも１対の対向する側板にケーキカットのための目印を設けたことを特徴とするものである。
【０００６】
また、請求項２に記載の発明は、前記ケーキカットのための目印が、前記側板の内面に底板の各辺に直交する平行線または前記側板の外縁に設けた凹溝であることを特徴とするものである。
【発明の効果】
【０００７】
本発明に係るケーキ用容器は、方形の底板とその各辺に連接した４側板とからなる容器主体と、該容器主体の４側板を立てた状態に保持できる箱形の蓋体とを備え、前記容器主体の４側板のうち少なくとも１対の対向する側板にケーキカットのための目印を設けたことを特徴としているから、組み立てた容器主体はケーキ成形時に金型内に装填することにより成形型枠として使用でき、また、ケーキ成形後は容器主体に箱形の蓋体を被冠することによりそのまま流通箱として使用でき、さらに、消費者がケーキを食するときに容器主体の４側板を展開するだけで等分に分割するための目印を有するまな板として使用できるなど各種の優れた効果を奏するものである。
【０００８】
また、請求項２に記載の発明は、前記ケーキカットのための目印が、前記側板の内面に底板の各辺に直交する平行線または前記側板の外縁に設けた凹溝であることを特徴としているから、包丁等の刃先を平行線または凹溝に重ねるように当てるだけで簡易に分割できるという優れた効果を奏するものである。
【発明を実施するための最良の形態】
【０００９】
次に、本発明の実施の態様を図面に基いて説明する。図１は容器主体と蓋体の斜視図、図２は容器主体の展開図、図３は蓋体の展開図、図４は容器主体の他の例の展開図、図５（ａ）、（ｂ）、（ｃ）、（ｄ）はケーキ形成手順を示す断面図、図６は容器主体を展開してケーキを小分けしている状態を示す斜視図である。
【００１０】
本願容器１は、図１の如く、容器主体２と蓋体３とからなる。容器主体２は、図２の如く、方形（図において長方形）の底板４を有し、この底板４の各辺（折線となる）４ａ、４ｂ、４ｃ、４ｄには側板５ａ、５ｂ、５ｃ、５ｄが連接されている。これら４側板のうち、長辺側の１対の対向する側板５ａと５ｂ（または短辺側の１対の対向する側板５ｃと５ｄであってもよい）の両端縁５ａ′、５ａ″および５ｂ′、５ｂ″には折線を介してフラップ６ａ、６ａ′と６ｂ、６ｂ′が連接されている。また、前記短辺側の側板５ｃと５ｄの外端縁５ｃ′、５ｄ′には折線を介してフラップ６ｃ、６ｄが連接している。
【００１１】
前記容器主体２は、４側板５ａ、５ｂ、５ｃ、５ｄを底板４の各辺を折線として立てた後、長辺側の側板５ａと５ｂの両端縁に連接したフラップ６ａ、６ａ′と６ｂ、６ｂ′を短辺側の側板５ｃと５ｄの外面に糊を用いて仮固定する。そして短辺側の側板５ｃと５ｄの外端縁に連接したフラップ６ｃ、６ｄを外側に折り返すと、図１の如く、箱形となる。この場合、前記フラップ６ａ、６ａ′および６ｂ、６ｂ′は仮固定しているが、これはケーキ成形時に４側板を立てた状態に維持するときに必要なためで、ケーキ成形時に４側板を金型の内壁で支持できるようにする限り、必ずしも仮固定しなくてもよい。
【００１２】
前記蓋体３は、図３の如く、天板７を有し、該天板７の各辺７ａ、７ｂ、７ｃ、７ｄには側板８ａ、８ｂ、８ｃ、８ｄが連接されている。これら４側板のうち、短辺側の１対の対向する側板８ｃと８ｄの両端縁にはフラップ９ｃ、９ｃ′と９ｄ、９ｄ′が連接されている。また、前記長辺側の側板８ａと８ｂの外端縁８ａ′、８ｂ′には、指が入る凹欠溝１０ａ、１０ｂが設けられている。
【００１３】
前記蓋体３は、４側板８ａ、８ｂ、８ｃ、８ｄを天板７の各辺を折線として立てた後、短辺側の側板８ｃと８ｄの両端縁に連接したフラップ９ｃ、９ｃ′と９ｄ、９ｄ′を、長辺側の側板８ａと８ｂの内面に糊を用いて固定すると、図１の如く、しっかりした箱形となる。この蓋体３の場合、前記フラップ９ｃ、９ｃ′と９ｄ、９ｄ′はしっかり固定しているが、４側板は平時には天板７に扁平状に折重ねるようにするため、短辺側の側板８ｃと８ｄに折癖１１ａ、１１ｂを設けている。
【００１４】
前記容器主体２の４側板５ａ、５ｂ、５ｃ、５ｄのうち、少なくとも１対の対向する側板（長辺側）５ａ、５ｂには、ケーキカットのための目印１２が設けられている（勿論、図示の如く、４側板の全部であってもよい）。該目印１２は、図２の如く、前記底板４の各辺４ａ、４ｂ、４ｃ、４ｄに直交する平行線１２ａであってもよいし、図４の如く、前記側板５ａ、５ｂの外縁に設けた凹溝（図面ではＶ溝）１２ｂであってもよい。この目印１２は、包丁等の刃物を用いてケーキを等分に分割（小分け）するに際して刃先を当てるときのもので、前記平行線１２ａ又は凹溝１２ｂは等間隔になっていることが好ましい。また、目印１２はその目的が達せられる限り、平行線１２ａ又は凹溝１２ｂ以外の形態のものであってもよい。
【００１５】
なお、前記容器主体２と蓋体３は少なくとも内面は、ケーキが付着し難い加工が施されていることが必要である。たとえば、ケーキが付着し難い素材からなるプラスチックフィルムをラミネートするか、ケーキが付着し難い素材からなる塗料を塗布する。勿論、これらプラスチックフィルムあるいは塗料は衛生的無害な素材からなる。
【００１６】
次に、本願容器１の利用方法を、図５に基づいて説明する。まず、容器主体２を所定の如く組み立てる。すなわち、底板４の各辺の折線から４側板５ａ、５ｂ、５ｃ、５ｄを立てる。次いで、長辺側の側板５ａと５ｂの両端縁に連接したフラップ６ａ、６ａ′および６ｂ、６ｂ′を、短辺側の側板５ｃと５ｄの外面に当接させる（糊を用いて仮固定してもよい）。次に、短辺側の側板５ｃと５ｄの外端縁に連接したフラップ６ｃ、６ｄを折り返してから、図５（ａ）の如く、成形機の金型１３に挿入し、該金型１３の内壁にて、４側板５ａ、５ｂ、５ｃ、５ｄを立てた状態に維持させる。しかる後、容器主体２の底板４の上に予め作成しておいたスポンジケーキシート１４を入れる。
【００１７】
前記スポンジケーキシート１４を土台にして、その上から、図５（ｂ）の如く、泡立てた生クリーム１５を充填する。さらに、充填した生クリーム１５の上に、スポンジケーキシート１４′をのせることによりケーキ成形を終了する。
【００１８】
次いで、スポンジケーキシート１４／生クリーム１５／スポンジケーキシート１４′が充填された容器主体２を、図５（ｃ）の如く、成形機の金型１３から矢印Ａの如く取り出す。この場合、容器主体２の４側板５ａ、５ｂ、５ｃ、５ｄは仮固定されていない場合でも生クリーム１５の濡れにより立った状態が継続して維持される。
【００１９】
しかる後、容器主体２の上面に、図５（ｄ）の如く、蓋体３を被冠させた後、容器主体２および蓋体３をシュリンク包装１６を施すことによりそのまま流通箱となる。この状態でケーキは凍結される。なお、上記手順において、ケーキの種類によっては、容器主体２の底板４の上にスポンジケーキシート１４を入れる前に、生クリーム１５を充填することもある。
【００２０】
しかして、消費者がケーキを買い求め、家に持ち帰ってから解凍し、容器主体２の４側板５ａ、５ｂ、５ｃ、５ｄを、図６の如く、展開させると、ケーキＫが露出する。この状態は、容器主体２がまな板となる。しかも、容器主体２の４側板５ａ、５ｂ、５ｃ、５ｄの少なくとも１対の対向する側板５ａ、５ｂの内面にはケーキカットのための目印１２が設けられているため、該目印１２を目安にして包丁等の刃物１７の刃先１７′を当てると好みの大きさに等分に分割（ケーキカット）できる。
【産業上の利用可能性】
【００２１】
本願容器１は、ケーキ成形時には金型内に装填することによりケーキの型枠として、ケーキ成形後は容器主体に箱形の蓋体を被冠して流通箱として、ケーキを食するときは４側板を展開して等分に分割できるまな板としてそれぞれ利用できる。
【図面の簡単な説明】
【００２２】
【図１】容器主体と蓋体の斜視図である。
【図２】容器主体の展開図である。
【図３】蓋体の展開図である。
【図４】容器主体の他の例の展開図である。
【図５】（ａ）、（ｂ）、（ｃ）、（ｄ）はケーキ形成手順を示す断面図である。
【図６】容器主体を展開してケーキを小分けしている状態を示す斜視図である。
【符号の説明】
【００２３】
１  本願容器
２  容器主体
３  蓋体
４  底板
４ａ、４ｂ、４ｃ、４ｄ  底板の各辺
５ａ、５ｂ、５ｃ、５ｄ  ４側板
５ａ′、５ａ″、５ｂ′、５ｂ″  両端縁
５ｃ′、５ｄ′  外端縁
６ａ、６ａ′、６ｂ、６ｂ′  フラップ
６ｃ、６ｄ  フラップ
７  天板
７ａ、７ｂ、７ｃ、７ｄ  天板の各辺
８ａ、８ｂ、８ｃ、８ｄ  側板
９ｃ、９ｃ′、９ｄ、９ｄ′  フラップ
１０ａ、１０ｂ  凹欠溝
１１ａ、１１ｂ  折癖
１２  目印
１２ａ  平行線
１２ｂ  凹溝（図面ではＶ溝）
１３  成形機の金型
１４、１４′  スポンジケーキシート
１５  生クリーム
１６  シュリンク包装
１７  包丁等の刃物
１７′  刃先
Ｋ  ケーキ
【図１】
2005350133.tif 000003
【図２】
2005350133.tif 000004
【図３】
2005350133.tif 000005
【図４】
2005350133.tif 000006
【図５】
2005350133.tif 000007
【図６】
2005350133.tif 000008